(57)【要約】【課題】容器から所望の数の錠剤を過不足なく容易に取り出すことができる中栓を、簡易な構成で、かつ低コストで提供すること。【解決手段】錠剤容器用の中栓を次のように構成した。中栓は樹脂製で、口筒部内面に組み付く外筒と、外筒内に設けた作動部と、作動部を移動可能に支持する支持片とから構成し、作動部は通常外筒内面との間で錠剤が通過しない間隙で、かつ容器を下に向けて錠剤の自重が加えられても錠剤が排出されることない強度で支持片により支持されており、作動部を指などで押圧して、外筒と作動部の間の隙間を拡大させると、その間隙を通して錠剤が容器外へ排出されるように構成した。また作動部の押圧を解除すると作動部は支持片で元の位置に復帰され、錠剤の排出が停止されるように構成した。【選択図】図１
2007313131.tif 000002
【特許請求の範囲】
【請求項１】
錠剤を収納する容器の口筒部に取り付ける樹脂製中栓であり、
前記口筒部内に組み付く外筒と、
該外筒の内側に設けられた作動部と、
該作動部を移動可能に前記外筒と連結する支持片からなり、
前記支持片は、通常時前記口筒部を下に向けた状態で前記容器に収納した錠剤が該作動部と前記外筒との間隙から流出しない強度で前記作動部を支持し、かつ該支持片は可撓性を具え、操作時前記外筒と前記作動部との間隔が、前記錠剤が通過するに十分な間隔に拡がり、該操作を解除すると前記通常時の状態に前記作動部を復帰させる錠剤容器用中栓。
【請求項２】
作動部は、円筒状に形成した内筒と、該内筒の下端に設けられ、該内筒外周に拡がる抑え部からなり、前記作動部を前記外筒内に同軸に配置し、前記支持片で前記外筒の下端と前記内筒の下端とを連結し、更に前記外筒と前記作動部、および前記支持片を一体に成形してなる請求項１に記載の錠剤容器用中栓
【発明の詳細な説明】
【技術分野】
【０００１】
本発明は、所望の数の錠剤を過不足なく、容器から容易に取り出すことができる錠剤容器用中栓に関する。
【背景技術】
【０００２】
従来、ビンなどに収納してある錠剤を取り出すときは、ビンから直接掌の上に錠剤を流出させ、所定の数の錠剤を掌から取り上げて口に入れ、残りをビンに戻すようにしていた。
【０００３】
また、取り出し機構を具え、容器から所望の数の錠剤を取り出すようにした錠剤用容器が知られている。
【０００４】
【特許文献１】特開２０００−１４２８４１号公報
【発明の開示】
【発明が解決しようとする課題】
【０００５】
従来のビンは、手に触れた錠剤を再度ビン内に戻しており、手の汚れが錠剤に付着する恐れがあった。また、少量ずつ容器から錠剤を流出させようとしても、操作の加減が難しく、余分に出て、錠剤をビンに戻すことが多かった。また、小さな開口を設けた中栓をビンの口に嵌め、開口から少量ずつ流出させるものが知られているが、この場合には開口の内側で錠剤が重なって詰まり、出てこなくなることがあった。
【０００６】
更に上記発明の容器は、容器のボタンを一回押す毎に１または２個の所定数の錠剤が容器から取り出されるので、必要とする錠剤が出るまでボタンを何回も操作しなくてはならなかった。また、かかる容器の取り出し機構は多くの部品から構成されており、部品の製造と、それらの組み付け、組み立てに多くの手間とコストがかかっていた。
【０００７】
本発明は、容器から所望の数の錠剤を過不足なく容易に取り出すことができる中栓を、簡易な構成で、かつ低コストで提供することを目的とする。
【課題を解決するための手段】
【０００８】
錠剤容器用の中栓を次のように構成した。中栓は樹脂製で、口筒部内面に組み付く外筒と、外筒内に設けた作動部と、作動部を移動可能に支持する支持片とから構成し、作動部は通常外筒内面との間で錠剤が通過しない間隙で、かつ容器を下に向けて錠剤の自重が加えられても錠剤が排出されることない強度で支持片により支持されており、作動部を指などで押圧して、外筒と作動部の間の隙間を拡大させると、その間隙を通して錠剤が容器外へ排出されるように構成した。また作動部の押圧を解除すると作動部は支持片で元の位置に復帰され、錠剤の排出が停止されるように構成した。
【０００９】
具体的には中栓を、次のように構成した。
【００１０】
外筒は、容器の口部内面に嵌合する円筒状に形成し、作動部は、外筒の内部に外筒と同軸に設けられた円筒状の内筒とし、内筒の上面を指によって押圧可能に形成し、内筒の下面には外筒内面に向けて延びる抑え部を設け、支持片は、中栓の中心から放射状に、かつ中栓の下方を通るように迂回させて外筒と内筒とを連結させて中栓を構成した。
【００１１】
中栓は、複数パーツから形成してもよいが、合成樹脂で一体に成形することが望ましい。
【００１２】
外筒は、容器の口筒部の内面に、適度な保持力で密着嵌合する。また、外筒をアンダーカット結合や、ねじ結合で口筒部に嵌合させてもよい。
【００１３】
作動部は、容器を下に向けた状態で指などを用いて作動できるように形成してあるが、容器の内部に向けて軸方向へ押圧移動させるのみでなく、外筒との間隙が拡大して錠剤が通過するのであれば、外筒の内部において傾動させたり、あるいは中栓の外に引き出す動作によって外筒との間の間隙を拡大させてもよい。
【００１４】
また作動部は、外筒の中心軸に対して対称でなく、中心からずれて外筒内面の一方の側に偏よって設けられていてもよい。更に、作動部を円板と円板に取り付けられた突片から構成し、突片を押圧して錠剤を排出させるように形成してもよい。
【００１５】
支持片は、容器を下に向けた状態で内部から錠剤が落下せず、かつ作動部を操作したとき作動部が容易に作動し錠剤が排出されるような強度に形成する。しかも、作動部の作動を解除すると、確実に錠剤の排出を停止させる復元力を有して形成する。支持片は、中栓の下方を通らず、中栓の上方を通って外筒と内筒とを連結させてもよい。要は、錠剤が通過する間隙を外筒と作動片との間に形成できればよい。
【００１６】
支持片は、外筒の中心軸に対して均等に形成することが好ましいが、他の構成、配置でもよい。更に外筒内面に作動部をヒンジ結合させ、ヒンジ結合した作動部を支持片で適度な保持力で保持するようにしてもよい。
【発明の効果】
【００１７】
中栓を取り付けた容器においては、錠剤を収容し容器を下向きにしても容器から錠剤は排出されない。そして下向きにした状態で作動部を指の腹などで操作し作動させると、錠剤が排出される。作動部は、操作に応じて徐々に移動し、外筒との間の間隙を拡げるので、確認しながら錠剤を排出させることができる。したがって、錠剤を一粒だけ取り出して停止させることも、また連続して錠剤を排出させ、所望の数の錠剤が排出されたら作動部の操作を解除して、錠剤の排出を停止させ、正確な数の錠剤を任意に取り出すことができる。
【００１８】
錠剤を手から容器に戻すことがないので、錠剤を衛生的に保管できる。誰でも容易に中栓を操作して、容器から必要な数の錠剤を取り出すことができる。
【００１９】
中栓は、樹脂により一体成形できるので、組み立て工程が不要で、低いコストで提供することができる
【発明を実施するための最良の形態】
【００２０】
図８、９に、中栓２を取り付けた錠剤用容器３０を示す。錠剤用容器３０は、上部に口筒部３２を具え、口筒部３２の内面に中栓２が嵌合してある。口筒部３２の外周面には、雄ねじ３４が形成してあり、雄ねじ３４にはキャップ３６が螺合する。錠剤用容器３０は、錠剤Ａを内部に収納している。
【００２１】
中栓２は、図３に示すように円筒状で、図１に示すように外筒４と、作動部としての内筒６と、支持片８から構成されている。中栓２は、樹脂による一体成形で成形されている。
【００２２】
外筒４は、上半部が口筒部３２の内面に嵌合するほぼ均等な外径で、下半部が徐々に径が縮まる先細に形成してある。外筒４の上部には、外筒４の外方に突出し、口筒部３２の上端にかかるつば１０が形成してある。
【００２３】
内筒６は、図２にも示すように、外筒４の内側に外筒４と同軸に設けてあり、つば１０とほぼ同一の高さ（つば１０より上には出ない。）になるよう形成してある。内筒６の下端には、抑え部としての抑え片１２が設けてある。抑え片１２は、内筒６の外側に延びて、外筒４の下端とほぼ同じ位置に対向しており、外筒４の内面との間に間隙ｄが形成されている。かかる状態の間隙ｄは、錠剤Ａが通過しない距離である。内筒６は、金型の型抜きが容易になるよう上下方向に若干の勾配が設けてある。
【００２４】
支持片８は、図４に示すように中栓２の下方を通り屈曲して外筒４と内筒６の下端を連結させている。支持片８は、三箇所に均等に配置してあり、内筒６を所定の保持力で支持するよう、所定の厚みと幅を有し、かつ内筒６が押圧されたとき図５に示すように間隙ｄが錠剤Ａを通過させるまで拡がるように十分な長さを具えている。
【００２５】
具体的には支持片８は、中栓２を取り付けた錠剤用容器３０に錠剤Ａを規定量詰め、キャップ３６をあけて口筒部３２を下に向けたときでも錠剤Ａは流出しない保持力と、内筒６を押圧して錠剤Ａを流出するまで移動できる柔軟性と、押圧を解除すると、現状に復帰する復元性を有している。更に支持片８は、外筒４および内筒６とともに一体に樹脂成形される。
【００２６】
次に、中栓２を取り付けた錠剤用容器３０の作用について説明する。
【００２７】
図８に、錠剤Ａを収納した錠剤用容器３０を示す。錠剤Ａは、通常状態の外筒４と内筒６の間隙ｄから流出しない大きさ、形状である。錠剤用容器３０は、キャップ３６で密栓されている。
【００２８】
錠剤Ａを取り出すときは、キャップ３６をあけ、図６に示すように口筒部３２が下に向くよう錠剤用容器３０を傾ける。この状態では錠剤用容器３０から錠剤Ａは流出しない。そして、内筒６を指の腹などで押圧して錠剤用容器３０の内部に押し込む。すると図７に示すように外筒４と内筒６の間隙ｄが拡がり、その間隙ｄから錠剤Ａが流出し始める。所定の数の錠剤Ａが流出したなら、内筒６の押圧を止め、間隙ｄを狭め、錠剤Ａ流出を停止させる。
【００２９】
したがって、内筒６を適宜押圧することにより１個から所望の数の錠剤Ａを任意に、かつ容易に取り出すことができる。所望の数の錠剤Ａを取り出すことができるので、取り出した錠剤Ａを容器内に戻すことがなくなる。
【００３０】
中栓２は、樹脂により一体に成形できるので、製造コストが安く、組み立てが不要で、容器への組み付けが容易となりコストを大きく低減できる。
【図面の簡単な説明】
【００３１】
【図１】本発明にかかる中栓の断面図である。
【図２】図１の中栓の平面図である。
【図３】図１の中栓の斜視図である。
【図４】図１の中栓の斜視図である。
【図５】内筒を押圧したときの中栓の断面図である。
【図６】錠剤用容器の部分断面図である。
【図７】錠剤用容器の部分断面図である。
【図８】錠剤用容器の断面図である。
【図９】錠剤用容器の斜視図である。
【符号の説明】
【００３２】
２    中栓
４    外筒
６    内筒
８    支持片
１０  つば
１２  抑え部
３０  錠剤用容器
３２  口筒部
３４  雄ねじ
３６  キャップ
Ａ    錠剤
【図１】
2007313131.tif 000003
【図２】
2007313131.tif 000004
【図３】
2007313131.tif 000005
【図４】
2007313131.tif 000006
【図５】
2007313131.tif 000007
【図６】
2007313131.tif 000008
【図７】
2007313131.tif 000009
【図８】
2007313131.tif 000010
【図９】
2007313131.tif 000011
【手続補正書】
【提出日】平成18年6月1日(2006.6.1)
【手続補正１】
【補正対象書類名】図面
【補正対象項目名】図２
【補正方法】変更
【補正の内容】
【図２】
2007313131.tif 000012